(57)【特許請求の範囲】
【請求項１】
表面に長手方向に沿って取付面および長手方向に沿うとともに横断面における周囲長さの３／４以下の範囲内に複数条のプリズムレンズを形成した筒状の透明カバー部材と、
上記透明カバー部材内に内壁面と１０ｍｍ以下の間隙を隔てて収容された、蛍光体被膜を形成した管外径が２３ｍｍ以下のガラス管バルブ内に放電媒体を封入するとともに放電電極を設けてなる蛍光ランプと、
上記透明カバー部材内の蛍光ランプに沿う長手方向の中央部が略く字形に突出し、この突出部を蛍光ランプに最も近接させるとともに中央部の両側に翼状部が設けられた、蛍光ランプからの放射光をプリズムレンズに指向する反射体と、
上記透明カバー部材の両端部を閉塞した閉塞部材と、
を具備していることを特徴とするショーケース用照明器具。
【請求項２】
筒状の透明カバー部材の一部に光拡散または光遮蔽処理が施してあることを特徴とする請求項１に記載のショーケース用照明器具。
【請求項３】
筒状の透明カバー部材の表面に光触媒処理が施してあることを特徴とする請求項１または請求項２に記載のショーケース用照明器具。
【請求項４】
物品を収納するケースと；
このケース内部の開口部近傍に配設された上記請求項１ないし請求項３のいずれか一に記載のショーケース用照明器具と；
上記ケースまたは上記照明器具に設けられた点灯回路装置と；
を具備していることを特徴とするショーケース。
【請求項５】
物品を収納するケースが低温であることを特徴とする請求項４に記載のショーケース。
【発明の詳細な説明】
【０００１】
【発明の属する技術分野】
本発明は、ショーケースに用いられる配光特性を改善した照明器具およびこの照明器具を装着したショーケースに関する。
【０００２】
【従来の技術】
蛍光ランプは、蛍光体被膜を形成したガラス管バルブ内に水銀とアルゴンガスなどの希ガスを封入して構成されている。そして、バルブ端部に設けた電極間に放電を生起させ、この放電によりバルブ内の水銀蒸気を電離および励起して紫外線を発生させて蛍光体被膜で可視光に変化し、この可視光をバルブ外に放射するようにしている。
【０００３】
そして、通常、この蛍光ランプの発光特性は周囲温度が２０〜３０℃の常温での使用時に最高効率を示すよう設計、製造されている。これは、バルブ内に封入した水銀の蒸気圧により光束や始動電圧が左右されるところからで、上記温度より高くても低くても光出力は低下する傾向にある。なお、ランプ全体が上記温度を維持していく必要はなく、その水銀蒸気圧はランプ内の最冷部（最低温度部）で制御されるので、ランプの一部に最冷部が形成してあればよいとされている。この温度への対応策としては、最冷部をバルブの中間部分や端部あるいは排気管部に設定したり、水銀のアマルガム化、封入希ガスの選択などの手段を講じることや器具側に温度制御部材を設けることにより対処するようにしている。
【０００４】
そして、この蛍光ランプは、点灯回路装置を必要とするが、電球に比べ小電力で高効率のところから家庭においてはもちろん商店、事務所、デパートや工場などでひろく用いられている。
【０００５】
たとえば、商店などで直管状の蛍光ランプはバルブが長尺であるところから、商品を収容して展示販売を行うショーケースなどにおいて、並べられている商品を照明し顧客の購入意欲を高めるのに相当の効果を挙げている。
【０００６】
そして、このショーケースにおいて、管状の蛍光ランプに対して商品がほぼ同距離で配置されている場合は、各商品ともランプからほぼ同一強度の照射光を受けその商品の形状、模様などのデザインや品質あるいはラベルなどがよく見えて、顧客も分かり易いという利点がある。
【０００７】
しかし、ランプからの照射光強度は距離の二乗に反比例して低下していくことが知られていて、内部に大量の商品が収容されるショーケースの場合、長尺のランプに沿うランプの近傍に置かれた商品はよく見えるが、管状のランプから離れた位置にある商品は、ランプからの照射光も弱く照度が低下しているため見え難いということがある。
【０００８】
たとえばジュース、サイダーなどの清涼飲料水、乳製品やビール、ワイン、冷酒などの瓶、紙パックや缶入りの飲料あるいはアイスクリーム、氷、冷蔵や冷凍などされた箱入りの食品を収容して展示販売する図１に示すようなショーケース１においては、ドア２，２や柱の影となる場所に商品を照明する直管形の蛍光ランプを用いたたとえば３組の照明器具Ｌ１，Ｌ２，Ｌ３が配設してある。しかし、この配置の照明器具Ｌ１，Ｌ２，Ｌ３では、遠く離れたドア２と柱との中央部に飾ってある商品は見え難く、その水平面照度分布は図５中の点線Ｂに示すような特性であった。
【０００９】
そして、この冷蔵や冷凍用のショーケースの場合、ケース内が低温（冷蔵用…−５〜＋１０℃、冷凍用…−２５〜−３０℃）でありランプの発光特性の向上をはかり、また、内部の商品と直管形の蛍光ランプとが衝突してランプのバルブが破損するなどのことを防止するため、蛍光ランプは透明な合成樹脂製のほぼ同一肉厚を有する円筒など筒状の保護カバー部材内に収容して配設されている。
【００１０】
【発明が解決しようとする課題】
近時、このショーケースにおける配光の改善が強く要望されており、本発明者等は照明器具について種々究明を行った。すなわち、光源である蛍光ランプを収容する透明な円筒状の保護カバーに着目して種々検討した。
【００１１】
もちろん、蛍光ランプの配光制御のため、ランプをセード、グローブやカバーなどで囲うことは通常行われていることであるが、最近開発されたガラス管バルブを細径化した蛍光ランプと、特定方向に指向性をもつレンズ部分を備えた筒状の透明なカバー体とを組合わせることにより、所望の配光特性を得ることが可能となった。
【００１２】
そして、家庭や店舗などで用いられている一般照明用の蛍光ランプは、通常ガラス管バルブの外径が約２９ｍｍ程度のものが広く普及しているが、光出力の改良やランプ点灯回路の改善などにより、外径が約１５〜２０ｍｍ程度のバルブを用いた蛍光ランプが開発され、この細径化された蛍光ランプを使用した特にショーケース用などの照明器具は小形化が可能になるなどの利点を有する。
【００１３】
本発明は、上記事情に鑑みなされたもので、ガラス管バルブの外径を細径化した蛍光ランプを、配光に指向性をもたせた保護カバー内に収容して、保温性がよく均斉度の高い配光特性が得られるとともにケース内の収容容積を増すことができる照明器具およびこの照明器具を装着したショーケースを提供することを目的とする。
【００１４】
【課題を解決するための手段】
本発明の請求項１に記載のショーケース用照明器具は、表面に長手方向に沿って取付面および長手方向に沿うとともに横断面における周囲長さの３／４以下の範囲内に複数条のプリズムレンズを形成した筒状の透明カバー部材と、上記透明カバー部材内に内壁面と１０ｍｍ以下の間隙を隔てて収容された、蛍光体被膜を形成した管外径が２３ｍｍ以下のガラス管バルブ内に放電媒体を封入するとともに放電電極を設けてなる蛍光ランプと、上記透明カバー部材内の蛍光ランプに沿う長手方向の中央部が略く字形に突出し、この突出部を蛍光ランプに最も近接させるとともに中央部の両側に翼状部が設けられた、蛍光ランプからの放射光をプリズムレンズに指向する反射体と、上記透明カバー部材の両端部を閉塞した閉塞部材とを具備していることを特徴とする。
【００１５】
透明なカバー部材内にガラス管バルブを細径化した蛍光ランプを、その間隔が１０ｍｍ以下となるよう近接して配設したことにより、ランプからの放射光のカバー部材の内壁面での反射が少なくカバー部材への有効入射量を多くできるとともに、カバー部材の表面に形成した複数条のプリズムレンズによって放射光を指向させることが可能となり広範囲に亘りほぼ均一な照度の照明が行える。
また、複数条のプリズムレンズは筒状の透明カバー部材の取付面を除く周囲長さの３／４以下の範囲内にあればよく、残部の１／４の部分はケースに面する取付面側や反射体が設けられたりするのでプリズムレンズの形成は不要である。
また、カバー部材内部に蛍光ランプからの放射光をプリズムレンズに指向する中央部が突出しこの中央部の両側に翼状部を有する反射体が光利用の少ない取付面側に設けてあることにより蛍光ランプから後方に放射される光線を前方に反射して透明カバー部材に入射させることができる。
【００１６】
また、筒状の透明カバー部材の両端をある程度の気密性をもたせて閉塞してあることにより、バルブの外径を２３ｍｍ以下の細径化した蛍光ランプが、放電熱や電極熱により昇温して水銀の蒸気圧制御が行われるとともにカバー部材表面の結露を防ぎカバー部材の曇りによる発光効率の低下を防止できる作用を奏する。また、蛍光ランプのバルブ外面とカバー部材の内壁面との間隔が、１０ｍｍを超えると、カバー部材内表面での反射が多くなり発光効率の低下を招くとともにプリズムレンズとの間隔が大きくなるので配光特性も低下する。また、バルブの保温性も悪化し発光効率の低下を来す。
【００１７】
なお、この間隔は１０ｍｍ以下であれば実用上全く問題なかったが、ランプのバルブ外径やその寸法のばらつきなどを考慮すると、好ましくは７ｍｍ以下であれば発光効率、配光特性およびバルブの保温性を確実に向上させることができた。  また、透明なカバー部材の形成材料は、ポリカーボネイトやアクリルなどの合成樹脂材料あるいはガラス材料を用いることができる。また、カバー部材の横断面形状は、真円筒形、長円筒形などの円筒形状や四角筒形、六角筒形などの多角筒形状やこれらが混合された略円筒形状や略多角筒形状のものに適用できる。さらに、プリズムレンズの形成は透明カバー部材の内外面のいずれか一方の面でも両面であってもよく、また、筒状の透明カバー部材の周囲の全周面あるいは端部に取付けられる器具などの場合は約半周面に複数条のプリズムレンズが形成してあってもよく、これはランプの種類や要求される器具の配光特性などに応じて設ければよい。
【００２０】
本発明の請求項２に記載のショーケース用照明器具は、筒状の透明カバー部材の一部に光拡散または光遮蔽処理が施してあることを特徴とする。
【００２１】
筒状の透明カバー部材は、一種の材料または二種以上の複数の材料により筒状に一体または一体的に形成したものであってもよい。これは、カバー部材の透明な光放射部分の一部、たとえば商品に近接した部位を乳白色化や蝕刻などの処理を施し光拡散作用をもたせるようにしてもよい。
【００２２】
また、たとえば透明な光放射部と光遮蔽される取付面や反射体設置面などに該当する部分とを別部品で成形して両者を組付け一体化したものであってもよい。
本発明の請求項３に記載のショーケース用照明器具は、筒状の透明カバー部材の表面に光触媒処理が施してあることを特徴とする。
【００２３】
透明な合成樹脂やガラスからなるカバー部材の表面に酸化チタンＴｉＯ2 などの光触媒処理を施しておけば、カバー部材の汚れ防止や脱臭効果を奏することができる。
【００２８】
本発明の請求項４に記載のショーケースは、物品を収納するケースと、このケース内部の開口部近傍に配設された上記請求項１ないし請求項３のいずれか一に記載のショーケース用照明器具と、上記ケースまたは上記照明器具に設けられた点灯回路装置とを具備していることを特徴とする。
【００２９】
上記請求項１ないし３のいずれか一記載の作用を奏する照明器具を用いているので、照明器具からはショーケース内の所定の方向に指向して光放射を行わせることができるとともに照明器具を小形化してショーケース内の物品の収容量を増すことができる作用がある。
【００３０】
また、ショーケースは、ドアが１枚ないし複数枚のものであってもよく、照明器具はドアの裏などに１ないし複数組設けたものでも差支えない。また、ケースは常温使用される食品類や衣料、雑貨などの物品を展示販売する場合に適用が可能である。
【００３１】
本発明の請求項５に記載のショーケースは、物品を収納するケースが低温であることを特徴とする。
【００３２】
ショーケースが冷蔵や冷凍製品（冷蔵用…−５〜＋１０℃、冷凍用…−２５〜−３０℃）を収納して販売するものに適用でき、この場合蛍光ランプの低温対策は、器具のカバー部材内に僅かな間隙を隔てて密封されたランプから発生する熱を利用することによって対応が可能である。
【００３３】
【発明の実施の形態】
本発明のショーケース用照明器具およびこの照明器具を装着したショーケースの実施の形態を図１ないし図４を参照して説明する。図１はたとえば冷蔵用ショーケースの正面図、図２は図１の冷蔵用ショーケース内に配設された照明器具の概略を示し、（ａ）図は中間部を切欠した一部縦断面図、（ｂ）図は（ａ）図中のａ−ａ線に沿って切断した横断面図、図３は透明カバー部材からの光の放射状態を示し、（ａ）図は両側の透明カバー部材（左側の一方のみ図示）、（ｂ）図は中央の透明カバー部材である。また、図４はケース内における個々の照明器具を点灯したときの軸回りの水平照度を相対値として示すグラフである。また、図５は、図４の３組の照明器具を点灯したときの全体としての水平照度相対値を示すグラフである。
【００３４】
図中１は汎用の冷蔵用ショーケースで、このショーケース１は上下、左右および背面はスチールなどの金属板や断熱材で筐体１１を構成するとともに前面は内部が透視できる透明ガラス製の２組のドア２，２が取付けられている。また、ショーケース１内に設けられた棚３，３，…上にはジュース、サイダーなどの清涼飲料水、乳製品やビール、ワイン、冷酒などの瓶、紙パックや缶などの商品４，…が載置してある。なお、このショーケース１内は図示しない冷凍機と接続してある。
【００３５】
また、ＬＬ，ＬＣ，ＬＲは筐体１１の内部前側の両側および中央部の柱状部や壁面にここでは垂直に取付けられた照明器具である。この照明器具ＬＬ，ＬＣ，ＬＲは、ポリカーボネイトやアクリルなどの合成樹脂材料あるいはガラス材料でもって横断面が略長四角形状の一辺長さが約３０ｍｍ、肉厚が約３ｍｍ、全長が約１４２０ｍｍの筒状に成形され外表面には長手方向に沿って複数条の鋸歯状のプリズムレンズ６，…が取付面５７側を除く周囲の約３／４の範囲に形成された長尺の透明カバー部材５と、この透明カバー部材５の内部の空間部５１内に収容された蛍光ランプ７とからなる。
【００３６】
また、図中５２，５２（一方は図示していない。）は筒状の透明カバー部材５の上下両端部をほぼ気密に閉塞したシリコンＳｉゴムなどの弾性体からなるランプホルダで、キャップ状をなす蓋体５３，５３（一方は図示していない。）とで閉塞部材５４，５４を構成している。また、５５，５５はランプホルダ５２，５２に接続した給電線、５６Ｌ，５６Ｃは蛍光ランプ７のバルブ７１に沿う背面側に設けられた長尺のアルミニウムなどの反射面を形成した反射鏡（反射体）で、これらからなる照明器具ＬＬ，ＬＣ，ＬＲはねじ（図示しない。）などを介し柱状部や壁面に取付けられる。
【００３７】
また、上記各照明器具ＬＬ，ＬＣ，ＬＲにおいて、蛍光ランプ７のバルブ７１に沿うとともにカバー部材５の取付面５７側に設けられた各反射鏡５６Ｃは、図２〜４中に示すように長手方向の中央部に略く字形に突出した突出部５９ａと、この中央部（突出部５９ａ）の両側から延びた翼状部５９ｂ，５９ｂが形成されたものからなる。
また、透明カバー部材５内の反射鏡５６Ｌ，５６Ｃ，５６Ｒ（図示しない。）は、左側の器具ＬＬは前方と左方への光放射が不要となるので左寄りに、中央の器具ＬＣは手前への光放射が不要となるので手前側に、右側の器具ＬＲ（図示しない。）は前方と右方への光放射が不要となるので右寄りにそれぞれ配設されている。
【００３８】
なお、この３組の照明器具ＬＬ，ＬＣ，ＬＲは、反射鏡の形状を除いては同じ構成であってもあるいは左右の照明器具ＬＬ，ＬＲは左または右外方側への光放射が不要であるから、カバー部材５の左または右外方側のプリズムレンズ６，…は形成してなくてもよい。また、図３（ａ）において２組の反射鏡５６Ｌ，５６Ｃが設けられているが、両者を一体化した反射鏡であってもよい。
【００３９】
また、上記蛍光ランプ７は、定格が５０Ｗでソーダライムなどの軟質ガラス管からなる外径が約１６ｍｍ、長さが約１４１０ｍｍの直管状のバルブ７１の両端に電極を有するステム（図示しない。）が封着された気密構造をなしている。また、このバルブ７１内には放電媒体として水銀およびアルゴンＡｒ、クリプトンＫｒ、キセノンＸｅやネオンＮｅなどの希ガスが単独または混合して封入されているとともにバルブ７１の内壁面には蛍光体被膜（図示しない。）が形成してある。また、このランプ７はバルブ７１の両端からリード線が導出され、このリード線が直接外部にまたはバルブ７１端部に接合された口金（図示しない。）に接続している。
【００４０】
そして、上記透明カバー部材５の外表面の長手方向に沿って形成した複数条の各プリズムレンズ６，…は、ランプ７から放射されカバー部材５に入射した光線を図３（ａ）図および（ｂ）図中に矢印で示すように略左方向あるいは略右方向へと屈折するよう設計され、その肉厚が変えられて製造してある。
【００４１】
因みにこの実施の形態の場合の上記カバー部材５と内部に収容された蛍光ランプ７のバルブ７１との寸法関係は、カバー部材５の長さが約１４２０ｍｍ、カバー部材５の内面とランプ７のバルブ７１外面との間隔ｂが約４ｍｍである。
【００４２】
そして、上記構成のショーケース１内の３組の照明器具ＬＬ，ＬＣ，ＬＲを点灯すると、各ランプ７からは直接にカバー部材５に向かう直射光と、各ランプ７から反射鏡５６Ｃ，５６Ｌ，５６Ｒ（図示しない。）に向かいこの反射鏡５６Ｃ，５６Ｌ，５６Ｒ（図示しない。）で反射されカバー部材５に向かう反射光とがカバー部材５に入射する。
また、各反射鏡５６Ｃは略く字形をした突出部５９ａが蛍光ランプ７のバルブ７１に最も近接し、中央部の両側から延びた翼状部５９ｂ，５９ｂが光利用の少ない取付面５７側となるよう配設してあるので、翼状部５９ｂ，５９ｂへ入射した光線の鈍角方向への反射光量を増やしプリズムレンズへ指向させることができる。
【００４３】
さらに詳述すると、図３（ａ）図に示す左方に配設された照明器具ＬＬからの放射光は、その一部が透明なカバー部材５を直進するとともに残部はカバー部材５に形成した各プリズムレンズ６，…が右方向へ光を屈折することと反射鏡５６Ｌが左側にあるため中央から右方に指向する。また、図３（ｂ）図に示す中央の照明器具ＬＣからの放射光は、一部が透明なカバー部材５を直進するとともに残部はカバー部材５に形成した各プリズムレンズ６，…が左または右方向へ光を屈折することと反射鏡５６Ｃが手前にあるため中央から左右方向に指向する。さらに、図示していない右方に配設された照明器具ＬＲからの放射光は、その一部が透明なカバー部材５を直進するとともに残部はカバー部材５に形成した各プリズムレンズ６，…が左方向へ光を屈折することと反射鏡５６Ｒ（図示しない。）が右側にあるため中央から左方に指向させることができる。
【００４４】
そして、これら照明器具ＬＬ，ＬＣ，ＬＲを点灯したときは、透明なカバー部材５内にガラス管バルブ７１を細径化した蛍光ランプ７をその間隔ｂが約４ｍｍとなるように近接して配設したことにより、ランプ７からの放射光のカバー部材５の内壁面での反射が少なくカバー部材５への有効入射量を多くできるとともに、形状が規制された反射鏡５６Ｃおよびカバー部材５の表面に形成した複数条のプリズムレンズ６，…によって放射光を指向させることが可能となり広範囲に亘りほぼ均一な照度の照明が行える。
【００４５】
また、上記筒状の透明カバー部材５の両端をある程度の気密性をもたせて閉塞してあることにより、バルブ７１の外径を１６ｍｍの細径化した蛍光ランプ７が、放電熱や電極熱により昇温して水銀の蒸気圧制御が行われるとともにカバー部材５表面の結露を防ぎカバー部材５の曇りによる発光効率の低下を防止できる作用を奏する。
【００４６】
また、蛍光ランプ７のバルブ７１外面とカバー部材５の内壁面との間隔ｂが大きくなると、カバー部材５内壁面での反射が多くなり発光効率の低下を招くとともにプリズムレンズ６，…との間隔が大きくなるので配光特性も低下する。また、バルブ７１の保温性も悪化し発光効率の低下を来す。
【００４７】
そして、これら３組の照明器具ＬＬ，ＬＣ，ＬＲを点灯したときの各個は図４に示すような照度分布で、ランプ７の近傍ではもちろんランプ７より離れた中間部における照度も高めることができる。
【００４８】
また、全体としては、下記表１および図５で示すようになる。すなわち、表１は、本発明品（実線Ａ）と従来品（点線Ｂ）との水平面照度の相対値の比較表で、左側の照明器具ＬＬを基点０として設置距離７２４ｍｍ以上（右方側）については左方側とほぼ同じ相対値であるので省略してある。
【００４９】
【表１】
0004189069.tif 000002
また、表１をグラフ化したものが図５で、実線Ａで示すように中間部においては、やや低くなるがほぼ等しい照度分布を呈する。すなわち、棚３，３，…上に並ぶ少なくとも顧客からよく見える最前列の各種商品をほぼ同じ照度で照明することにより、顧客に所望の商品をすばやく、かつ、確実に識別してもらうことができ、買物がし易くしかもその時間を短縮できるという利点がある。（なお、図４および図５は、左方に配置した照明器具ＬＬを基点０として器具間隔（横軸）および水平面照度相対値（縦軸）をとっている。）
そして、この蛍光ランプ７は、バルブ７１のガラス管径を細径化したが、密封された透明カバー部材５内に収容されているので、点灯時その電極の発熱や放電熱によってバルブ７１を昇温でき、発光特性や始動特性の低下を抑制できるという利点を有する。
【００５０】
なお、上記構成において、蛍光ランプ７のバルブ外径および透明カバー部材５の外径を細径化することによりショーケース１内における照明器具ＬＬ，ＬＣ，ＬＲの占有容積を小さくして、ショーケース１内に入れる商品の収容容積を大きくできる利点を有する。
【００５１】
なお、本発明は上記実施の形態に限るものではない。たとえば透明カバー部材に形成する複数条のプリズムレンズは取付面を除く周囲長さの３／４以下の範囲内に在ればよく、残る約１／４の部分はケースへの取付面５７や反射体５６Ｃ，５６Ｌが設けられたりするので不要である。また、複数条のプリズムレンズは透明カバー部材の内外面の一方あるいは両面に形成してあってもよい。
【００５２】
また、筒状の透明カバー部材は、同一の材料または二種以上の複数の材料により筒状に一体または一体的に形成したものであってもよい。たとえば図６に示すようにカバー部材５の透明な光放射部５８と光遮蔽される取付面５７や反射体設置面などに該当する部分とを別部品で成形して両者を組付け一体化してもよい。また、カバー部材の光放射部分の一部、たとえば商品に近接した部位を乳白色化や蝕刻などの処理を施し光拡散作用をもたせるようにしてもよい。
【００５３】
また、透明カバー部材の内部に蛍光ランプのバルブに沿って反射体を配設したが、格別な反射体を設けずに蛍光ランプのバルブの内または外表面にバルブ軸に沿ってアルミニウムなどからなる帯状の反射膜を形成しても同様な作用効果を奏し構成も簡易化できる。
【００５４】
また、透明な合成樹脂やガラスからなるカバー部材の表面に酸化チタンＴｉＯ2 などの光触媒処理を施せば、カバー部材の汚れ防止や防臭効果をはかることができメンテナンスを容易にできる。
【００５５】
また、蛍光ランプのバルブを形成するガラス管の材質は、ソーダライムガラスや鉛ガラスなどの軟質ガラスあるいはホウケイ酸ガラスや石英ガラスなどの硬質ガラス製であってもよい。また、放電電極は、コイル状フィラメントにエミッタ物質が塗布された熱陰極形の電極や冷陰極あるいはバルブの外面に形成された外部電極であってもよい。
【００５６】
また、バルブ内に封入される希ガスは、アルゴンＡｒ、ネオンＮｅ、クリプトンＫｒあるいは窒素Ｎなどが含まれる。また、バルブ内に封入される水銀の形態は、液状水銀、水銀と他の金属との合金からなるアマルガムやペレットなどあるいは板状体に水銀合金を形成したＧＥＭＥＤＩＳ（商品名）などが使用できる。
また、照明器具の構造も上記実施の形態に限らず、種々の形態が可能である。
また、ショーケースは実施の形態に示したドアが両開きで照明器具を３組設けたものに限らず複数組設けてもよく、たとえば１枚のドアの場合はドアの両側に照明器具を設けるようにしたものであってもよい。さらに、ショーケース内に配設される照明器具は垂直に取付けられたものに限らず、水平に取付けてあっても何等問題がない。さらにまた、ショーケースは冷蔵や冷凍製品を収納するものに限らず、他の食品や衣料、雑貨など他の物品を展示販売するケースにも適用が可能である。
【００５７】
【発明の効果】
請求項１に記載の発明によれば、蛍光ランプのバルブ外径および透明カバー部材の外径を細径化することにより照明器具の容積が小さくでき、かつ、反射体を設けることにより蛍光ランプから後方に放射される光線を前方に反射して透明カバー部材に入射させることができカバー部材の近傍はもとよりプリズムレンズで指向させた方向に光の配分ができるので広範囲に亘りほぼ均等照度の照明が行なえる発光効率の向上がはかれる照明器具を提供できる利点を有する。
また、本発明によれば、透明カバー部材の光を左方または右方に指向させるプリズムレンズの存在部位は限られた部分のみであってよく、取付け面側は全く不要となる。また、透明カバー部材は一体あるいは複数の部材でもって一体的に形成することができ、その製造が容易である。
【００５８】
また、請求項２に記載の発明によれば、透明カバー部材で光拡散や光遮蔽を行うことができる。
【００５９】
また、請求項３に記載の発明によれば、透明カバー部材の表面が光触媒処理してあるので、カバー部材の表面に汚れや臭いなどの発生はなく、透明カバー部材の曇りなどに起因する発光特性の低下を低減できる。
【００６２】
また、請求項４に記載の発明によれば、上記請求項１ないし請求項３のいずれか一に記載の効果を有する照明器具を備えているので、照明器具からはショーケース内の所定の方向に指向して光放射を行わせることができるとともに照明器具を小形化してショーケース内の物品の収容量を増すことができる効果がある。すなわち、棚上に並ぶ少なくとも顧客からよく見える最前列の各種商品をほぼ同じ照度で照明することができ、顧客に所望の商品をすばやく、かつ、確実に識別してもらうことができ、買物がし易くしかもその時間を短縮できるという利点がある。
【００６３】
さらに、請求項５に記載の発明によれば、冷蔵や冷凍製品用のショーケースに適用して上記請求項４に記載したと同様な効果を奏する。
【図面の簡単な説明】
【図１】  本発明の冷蔵用ショーケースの実施の形態を示す正面図である。
【図２】  図１の冷蔵用ショーケース内に配設された照明器具の概略を示し、（ａ）図は中間部を切欠した一部縦断面図、（ｂ）図は（ａ）図中のａ−ａ線に沿って切断した部分の横断面図である。
【図３】  本発明の照明器具の透明カバー部材からの光の放射状態を示し、（ａ）図は両側の透明カバー部材（左側の一方のみ図示）、（ｂ）図は中央の透明カバー部材である。
【図４】  ショーケース内における本発明の３組の照明器具を点灯したときの個々の器具の軸回りの水平照度を相対値として示すグラフである。
【図５】  図４の３個の照明器具および従来の３組の照明器具を点灯したときの全体としての水平照度相対値を対比して示すグラフである。
【図６】  本発明の透明カバー部材の他の実施の形態を示すグラフである。
【符号の説明】
ＬＬ，ＬＣ，ＬＲ：照明器具
１：ショーケース
４：物品（商品）
５：透明カバー部材
５４：閉塞部材
５６Ｃ，５６Ｌ：反射体
５７：取付面
５９ａ：突出部
５９ｂ：翼状部
６：プリズムレンズ
７：蛍光ランプ
７１：ガラス管バルブ
【図１】
0004189069.tif 000003
【図２】
0004189069.tif 000004
【図３】
0004189069.tif 000005
【図４】
0004189069.tif 000006
【図５】
0004189069.tif 000007
【図６】
0004189069.tif 000008